(57)【要約】【課題】  静コンバーゼンス構造を有しながら、サイドビームスポットに水平方向に非対称なにじみが発生するのが抑えられ、その結果、良好な解像度を有するカラー受像管を提供する。【解決手段】  電子銃の主レンズを形成する電極のうちの少なくとも１つの電極６１に形成された３本の電子ビームが通過する３つの開孔のうちの両外側の開孔６１Ｒ，６１Ｂが、両外側の陰極をそれぞれ通る電子銃軸に対して水平方向に偏心して静コンバーゼンスを実現する。偏心した両外側のそれぞれの開孔６１Ｒ，６１Ｂの中央開孔６１Ｇ側の端縁形状６１Ｒｉ，６１Ｂｉと中央開孔６１Ｇとは反対側の端縁形状６１Ｒｏ，６１Ｂｏとが、水平方向径中心６１Ｒｃ，６１Ｂｃを中心として水平軸を±１０°回転させた範囲内において非対称である。【選択図】  図８
2005302376.tif 000002
【特許請求の範囲】
【請求項１】
ファンネルと内面に蛍光体スクリーンが形成されたパネルとが接合されてなる外囲器と、前記ファンネルのネック部内に封入された電子銃とを備え、
前記電子銃は、
水平方向に一列配置された３つの陰極、及び前記３つの陰極に対して前記蛍光体スクリーン側に配置され、前記３つの陰極に対応する３つの開孔をそれぞれ有する複数の電極からなる電子ビーム発生部と、
前記電子ビーム発生部に対して前記蛍光体スクリーン側に配置され、前記電子ビーム発生部で得られる３本の電子ビームを前記蛍光体スクリーン上に集束するための少なくとも１つの電子レンズを形成する複数の電極からなる電子ビーム集束部と
を備え、
前記少なくとも１つの電子レンズのうちの１つは主レンズであり、前記主レンズは少なくとも集束電極及び最終加速電極により形成され、
前記集束電極の前記最終加速電極側端面及び前記最終加速電極の前記集束電極側端面には、それぞれ前記３本の電子ビームが通過する３つの開孔が設けられており、
前記集束電極の前記最終加速電極側端面及び前記最終加速電極の前記集束電極側端面のうちの少なくとも一方に形成された前記３つの開孔のうち両外側の開孔が、両外側の前記陰極をそれぞれ通る電子銃軸に対して水平方向に偏心して静コンバーゼンスを実現するカラー受像管であって、
前記偏心した両外側のそれぞれの前記開孔の中央開孔側の端縁形状と前記中央開孔とは反対側の端縁形状とは、前記開孔の水平方向径中心を中心として水平軸を±１０°回転させた範囲内において非対称であることを特徴とするカラー受像管。
【請求項２】
前記最終加速電極の両外側の前記開孔の水平方向径中心は、前記集束電極の両外側の前記開孔の水平方向径中心に対して、中央の前記陰極を通る電子銃軸よりも遠ざかる方向に偏心している請求項１に記載のカラー受像管。
【請求項３】
偏心した両外側の前記開孔の前記中央開孔とは反対側の端縁形状は、少なくとも２つの異なる関数で表される請求項１に記載のカラー受像管。
【請求項４】
偏心した両外側の前記開孔の形状が、円の一部を塞いだ形状である請求項１に記載のカラー受像管。
【発明の詳細な説明】
【技術分野】
【０００１】
本発明は、カラー受像管に関する。
【背景技術】
【０００２】
カラー受像管は、内面に赤、緑、青（一般にＲ、Ｇ、Ｂと称す）の蛍光体スクリーンが形成されたパネルと、このパネルに一体に接合された漏斗状のファンネルとからなる外囲器を有し、ファンネルの最細部であるネック部に電子銃が封入されている構造が一般的である。
【０００３】
カラー受像管の電子銃は、３つの陰極が一直線上に配置されたいわゆるインライン方式の電子銃が主流である。この電子銃の構造は、一般的に、陰極、第一電極、及び第二電極からなるトライオード部と呼ばれる電子ビーム発生部と、この電子ビーム発生部から発生された電子ビームを画面上に集束するための主レンズを含む電子ビーム集束部とから構成される。電子銃は直径２０〜４０ｍｍ程度の円筒状のネック部内に封入され、円形ガラスがネック部の開放端に溶着される。円形ガラスには金属製のステムピンが埋設される。ステムピンは、管内と管外との電気的導通を確保するとともに、管内の電子銃を保持し固定するステム部を構成する。
【０００４】
通常、緑の蛍光体を発光させるための電子ビームは、電子銃内の電極に一直線上に形成された３つの電子ビーム通過孔のうち中央に位置する電子ビーム通過孔（センタービーム通過孔）を通過して画面上に集束される。従って、緑の蛍光体を発光させる電子ビームをセンタービームと称し、電子銃のうち緑用の電子ビームに関する構成部分をセンターガンと称する。また、赤及び青の蛍光体を発光させるための電子ビームは、電子銃内の電極に一直線上に形成された３つの電子ビーム通過孔のうち両サイドに位置する電子ビーム通過孔（サイドビーム通過孔）を通過して画面上に集束される。従って、赤及び青の蛍光体を発光させる電子ビームをサイドビームと称し、電子銃のうち赤及び青用の電子ビームに関する構成部分をサイドガンと称する。
【０００５】
トライオード部の電極のうち、陰極には百数十ボルト、第一電極には０ボルト、第二電極には数百ボルトが、それぞれステムピンを介して外部から供給される。
【０００６】
陰極から発生した電子ビームは第一電極、第二電極の電子ビーム通過孔を通って電子ビーム集束部へと導かれ、最終的に主レンズによって画面上に集束される。
【０００７】
電子ビーム集束部は少なくとも２つ以上の電極によって構成される。一般に、そのうちの１つはネック部内面に塗布された内部導電膜を介して陽極高圧が印加される最終加速電極であり、他の少なくとも１つは陽極高圧の２０〜４０％程度の電圧がステムピンを介して印加される集束電極である。最も単純な構成の主レンズはこれら２つの電極により形成される。
【０００８】
電子銃を構成する各電極は、各電極に設けられた植設部（ストラップ）をガラス等の絶縁支持体に埋め込むことにより、絶縁支持体によって固定され支持されている。
【０００９】
通常、主レンズを形成する最終加速電極と集束電極とは、それぞれに形成された電子ビーム通過孔が１ｍｍ程度の間隔を隔てて対向している。最終加速電極及び集束電極に所定の電圧を印加することにより、３つの電子ビームにそれぞれ対応した３つの主レンズを形成して、各電子ビームを画面上に集束する。
【００１０】
更に、集束電極のサイドビーム通過孔と最終加速電極のサイドビーム通過孔とを水平方向において相対的に偏心させることにより、赤、緑、青に対応する各電子ビームスポットを画面上でほぼ１点に集中させる、いわゆる静コンバーゼンス構造が一般的に採用される（例えば特許文献１，特許文献２参照）。
【特許文献１】特開平６−４４９２２号公報
【特許文献２】特開平７−２９５１２号公報
【発明の開示】
【発明が解決しようとする課題】
【００１１】
しかしながら、静コンバーゼンス構造はサイドガンの主レンズを水平方向に歪ませることになるため、画面上においてサイドビームのスポットは水平方向に非対称なにじみを発生してしまう。このような非対称にじみはビームスポットの最適なフォーカス状態を崩すため解像度を劣化させる大きな問題となる。
【００１２】
通常、電子銃から放出された電子ビームは、ファンネルのパネルとの接合面とネック部とのほぼ中間に位置する場所に、ファンネルの外周面にほぼ密着して配置される偏向ヨークが発生する偏向磁界によって画面周辺部に偏向される。ＲＧＢに対応する３つの電子ビームを画面全体のどの位置においてもほぼ同じ点にコンバーゼンスさせるために、偏向ヨークは歪んだ磁界を発生する。この磁界の歪みは電子ビームのスポット形状を不所望に歪ませ、画面周辺部では、横長の高輝度コア部と、垂直方向の過集束によって垂直方向に沿った低輝度のにじみとを有したスポット形状を形成する。更に画面の上下端及び対角端では、サイドビームのスポットが回転させられるので、にじみが対角方向に沿ったスポット形状となる。このとき静コンバーゼンス構造によって画面中央でサイドビームに水平方向に非対称なにじみが発生している場合、画面上下端及び対角端では偏向磁界によってサイドビームスポットが回転させられるので、画面中央で水平方向に発生していたにじみが回転して対角方向に沿ったにじみを発生してしまう。
【００１３】
このように静コンバーゼンス構造によるサイドビームの水平方向に非対称なにじみは解像度を劣化させる大きな原因となっており、更に偏向ヨークが発生する歪んだ偏向磁界によって画面上下端及び対角端ではこの水平方向に非対称なにじみが対角方向へ回転するため垂直方向の解像度をも劣化させる大きな原因となっていた。
【００１４】
本発明は、上記の従来の問題を解決し、静コンバーゼンス構造を有しながら、サイドビームスポットに水平方向に非対称なにじみが発生するのが抑えられ、その結果、良好な解像度を有するカラー受像管を提供することを目的とする。
【課題を解決するための手段】
【００１５】
本発明に係るカラー受像管は、ファンネルと内面に蛍光体スクリーンが形成されたパネルとが接合されてなる外囲器と、前記ファンネルのネック部内に封入された電子銃とを備える。前記電子銃は、水平方向に一列配置された３つの陰極、及び前記３つの陰極に対して前記蛍光体スクリーン側に配置され、前記３つの陰極に対応する３つの開孔をそれぞれ有する複数の電極からなる電子ビーム発生部と、前記電子ビーム発生部に対して前記蛍光体スクリーン側に配置され、前記電子ビーム発生部で得られる３本の電子ビームを前記蛍光体スクリーン上に集束するための少なくとも１つの電子レンズを形成する複数の電極からなる電子ビーム集束部とを備える。前記少なくとも１つの電子レンズのうちの１つは主レンズであり、前記主レンズは少なくとも集束電極及び最終加速電極により形成される。前記集束電極の前記最終加速電極側端面及び前記最終加速電極の前記集束電極側端面には、それぞれ前記３本の電子ビームが通過する３つの開孔が設けられており、前記集束電極の前記最終加速電極側端面及び前記最終加速電極の前記集束電極側端面のうちの少なくとも一方に形成された前記３つの開孔のうち両外側の開孔が、両外側の前記陰極をそれぞれ通る電子銃軸に対して水平方向に偏心して静コンバーゼンスを実現する。そして、前記偏心した両外側のそれぞれの前記開孔の中央開孔側の端縁形状と前記中央開孔とは反対側の端縁形状とは、前記開孔の水平方向径中心を中心として水平軸を±１０°回転させた範囲内において非対称であることを特徴とする。
【発明の効果】
【００１６】
本発明によれば、静コンバーゼンスを実現するカラー受像管において、サイドビームのスポットの水平方向に非対称なにじみをほぼ解消することができるので、解像度の優れたカラー受像管を提供することができる。
【発明を実施するための最良の形態】
【００１７】
本発明のカラー受像管において、前記最終加速電極の両外側の前記開孔の水平方向径中心は、前記集束電極の両外側の前記開孔の水平方向径中心に対して、中央の前記陰極を通る電子銃軸よりも遠ざかる方向に偏心していることが好ましい。主レンズを構成する最終加速電極の両外側の開孔を外側に偏心させることにより、静コンバーゼンスを容易且つ効率よく実現することができる。
【００１８】
また、偏心した両外側の前記開孔の前記中央開孔とは反対側の端縁形状は、少なくとも２つの異なる関数で表されることが好ましい。
【００１９】
また、偏心した両外側の前記開孔の形状が、円の一部を塞いだ形状であることが好ましい。これにより、静コンバーゼンス特性にほとんど影響を与えることなく、サイドビームのスポットの水平方向に非対称なにじみを容易にほぼ解消することができる。
【００２０】
以下に本発明のカラー受像管を図面を用いて詳細に説明する。
【００２１】
図１は、本発明の一実施形態に係るカラー受像管の断面図である。カラー受像管は、内面に蛍光体スクリーン２ａが形成されたパネル２と、パネル２に一体に接合された漏斗状のファンネル３とからなる外囲器を備える。ファンネル３の最細部であるネック部３００には、電子銃１が封入されている。ネック部３００よりパネル２寄りのファンネルの３の外周面には、電子銃１から放出された電子ビームを画面周辺部に偏向するための偏向磁界を発する偏向ヨーク８が配置される。
【００２２】
以下の説明の便宜のため、管軸をＺ軸、Ｚ軸と直交する水平方向軸をＸ軸、Ｚ軸と直交する垂直方向軸をＹ軸とする。
【００２３】
図２（Ａ）はネック部３００の垂直方向断面図、図２（Ｂ）はその水平方向断面図である。
【００２４】
電子銃１は、それぞれヒーターＨＲ，ＨＧ，ＨＢを内装し水平方向に平行な一直線上に配置された陰極ＫＲ，ＫＧ，ＫＢ、第１電極１０、第２電極２０、第３電極３０、第４電極４０、集束電極である第５電極５０、最終加速電極である第６電極６０、及びシールドカップ９０をこの順に備える。第３電極３０は電極３１，３２が接合されてなり、第４電極４０は電極４１，４２が接合されてなり、第５電極５０は電極５１，５２，５３，５４が接合されてなり、第６電極６０は電極６１，６２が接合されてなる。シールドカップ９０以外の電極はすべて対向して配置された２本の絶縁支持体４，５に植設されて固定され支持されている。シールドカップ９０は第６電極６０に溶接されて固定されている。
【００２５】
ネック部３００端にはステム部５００が溶着されている。ステム部５００には、電子銃１を支持するとともに、電子銃１の各電極と管外との導通を確保するためのステムピン４００が備えられている。
【００２６】
陰極ＫＲ，ＫＧ，ＫＢはそれぞれ約５ｍｍの間隔で等間隔に水平方向と平行な面上に一列配置されている。第１電極１０から第６電極６０のそれぞれには、３つの陰極にそれぞれ対応して電子ビームが通過するための３つの開孔（電子ビーム通過孔）が設けられている。第１電極１０及び第２電極２０に設けられた電子ビーム通過孔は直径１ｍｍ以下の小さな開孔であり、第３電極３０の第２電極２０に面する側の電極３１に設けられた電子ビーム通過孔は直径約２ｍｍ程度の第２電極２０の電子ビーム通過孔より大きな開孔であり、第３電極３０の第４電極４０に面する側の電極３２、及び第４電極４０〜第６電極６０に設けられた電子ビーム通過孔は直径４〜６ｍｍ程度の比較的大きな開孔である。
【００２７】
異なる電位が付与された電極の電子ビーム通過孔をそれぞれ所定の間隔で管軸方向に対向させることによって、それぞれの電極間で電子レンズが形成される。電子ビームが各電子レンズを通過することにより、電子ビームが画面上に集束され、ビームスポットを形成する。特に集束電極である第５電極５０と最終加速電極である第６電極６０との対向部での電位差は最も大きく、最も強い電子レンズが形成される。この電子レンズは電子ビームを画面に集束させる主たるレンズであるため、この電子レンズを主レンズと呼んでいる。
【００２８】
図３（Ａ）は、第５電極５０の第６電極６０に対向する側のカップ状電極５４の第６電極６０に対向する端面５４ａに形成された開孔を示した正面図である。センタービームが通過するセンタービーム通過孔５４Ｇ、及びこの両側の、サイドビームが通過するサイドビーム通過孔５４Ｒ，５４Ｂの各端縁形状は、いずれも円形である。
【００２９】
図３（Ｂ）は、第６電極６０の第５電極５０に対向する側のカップ状電極６１の第５電極５０に対向する端面６１ａに形成された開孔を示した正面図である。センタービームが通過するセンタービーム通過孔６１Ｇの端縁形状は円形である。一方、この両側の、サイドビームが通過するサイドビーム通過孔６１Ｒ，６１Ｂの端縁形状は、いずれも円をその中心よりも水平方向外側（センタービーム通過孔６１Ｇから遠い側）に位置する垂直方向に平行な弦で２分割し、この弦より水平方向外側の部分を取り除いたような形状を有している。この結果、サイドビーム通過孔６１Ｒ，６１Ｂの水平方向径中心６１Ｒｃ，６１Ｂｃを中心として水平方向軸を±１０°回転した範囲内において水平方向に互いに対向する２つの端縁形状は、互いに非対称である。ここで、開孔の水平方向径中心とは、開孔の水平方向軸に沿った開孔幅を２等分する水平方向軸上の点をいう。
【００３０】
図３（Ａ）において、センタービーム通過孔５４Ｇの中心と、この両側のサイドビーム通過孔５４Ｒ，５４Ｂの中心との水平方向における距離をＳ５とする。また、図３（Ｂ）において、センタービーム通過孔６１Ｇの中心と、サイドビーム通過孔６１Ｒ，６１Ｂの水平方向径中心６１Ｒｃ，６１Ｂｃとの水平方向における距離をＳ６とする。本実施形態では、Ｓ６−Ｓ５＝ｄ１としたときｄ１＞０を満足する。即ち、第６電極６０の第５電極５０に対向する側のカップ状電極６１に形成されたサイドビーム通過孔６１Ｒ，６１Ｂの水平方向径中心は、これに対向する第５電極５０の第６電極６０に対向する側のカップ状電極５４に形成されたサイドビーム通過孔５４Ｒ，５４Ｂの水平方向径中心に対してセンタービーム通過孔６１Ｇから遠ざかる方向に偏心量ｄ１で偏心している。
【００３１】
第１電極１０と第２電極２０とは０．５ｍｍ以下の非常に狭い間隔で対向しており、第２電極２０から第６電極６０までの各電極は互いに０．５〜１ｍｍ程度の間隔で対向している。
【００３２】
かかる構成において、例えば図４に示すように、陰極ＫＲ，ＫＧ，ＫＢには約１５０Ｖの直流電圧に画像に対応したビデオ信号ＶＲ，ＶＧ，ＶＢがそれぞれ重畳された電圧が印加され、第１電極１０は接地され、第２電極２０は管内にて第４電極４０と接続され、これらに約７００Ｖの直流電圧が印加され、第３電極３０は管内にて集束電極である第５電極５０と接続され、これらに約６〜９ｋｖの直流電圧が印加される。第６電極６０及びこれに保持されたシールドカップ９０にはネック内壁に塗布された内部導電膜１１０（図２（Ａ）、図２（Ｂ）参照）を介して約２５ｋｖの陽極高圧Ｅｂが印加される。第６電極６０以外の電極にはネック部３００端に溶着されたステム部５００のステムピン４００を介して外部から所定の電圧が印加される。
【００３３】
陰極ＫＲ，ＫＧ，ＫＢはそれぞれに内装されたヒーターＨＲ，ＨＧ，ＨＢ（図２（Ａ）、図２（Ｂ）参照）によって加熱され熱電子が放出しやすい状態となる。第２電極２０に印加された約７００Ｖの電圧により発生する電界が陰極ＫＲ，ＫＧ，ＫＢの表面に達し、約１５０Ｖの陰極電圧を超えた時に電子が放出される。第１電極１０により第２電極２０の電界が制御されるので、電子は第１電極１０の電子ビーム通過孔を通過して電子ビームとなり、この電子ビームは第２電極２０から第６電極６０までによって形成される各電子レンズのほぼ中心を通る。このように、陰極ＫＲ，ＫＧ，ＫＢ、第１電極１０、第２電極２０は主レンズをはじめとする各電子レンズに送り込む電子ビームを形成する役割を担っており、陰極ＫＲ，ＫＧ，ＫＢ、第１電極１０、第２電極２０を合わせて電子ビーム発生部と呼ぶ。
【００３４】
陰極ＫＲ，ＫＧ，ＫＢから放射された電子ビームは第１電極１０から第２電極２０の近傍でクロスオーバーを形成した後発散するが、第２電極２０と第３電極３０とで形成されるプリフォーカスレンズにより予備集束を受け、第３電極３０、第４電極４０、及び第５電極５０で形成されるサブレンズにより更に予備集束を受け、第５電極５０と第６電極６０とで形成される主レンズによって最終的に集束されて画面上にビームスポットを形成する。
【００３５】
これらの電子レンズはすべて、相対的に低電圧が印加される電極付近で電子ビームを集束する作用を有し、相対的に高電圧が印加される電極付近で電子ビームを発散する作用を有する。相対的に低電圧が印加される電極付近では電子ビームの速度が遅いため、発散作用よりも集束作用が強くなり、総合的には全ての電子レンズは集束レンズとして機能する。
【００３６】
第５電極５０と第６電極６０とで形成される主レンズは、前記したようにサイドビーム通過孔６１Ｂ、６１Ｇの水平方向径中心がサイドビーム通過孔５４Ｂ、５４Ｇの水平方向径中心に対して水平方向に偏心しているため、サイドビーム通過孔を通過する電子ビームに対して水平方向に非対称なレンズ作用を与える。これを図５に示した光学的模式図で説明する。
【００３７】
陰極ＫＲ，ＫＧ，ＫＢから発生した電子ビームＢＲ，ＢＧ，ＢＢは、第１電極１０〜第６電極６０を順に通過する。この際、電子ビームＢＲ，ＢＧ，ＢＢは、第２電極２０と第３電極３０で形成されるプリフォーカスレンズＰＲ，ＰＧ，ＰＢ、第３電極３０、第４電極４０、及び第５電極５０で形成されるサブレンズＳＲ，ＳＧ，ＳＢ、第５電極５０と第６電極６０との間に形成される主レンズＭＲ，ＭＧ，ＭＢを通過する。
【００３８】
陰極ＫＧから発生したセンタービームＢＧが通過する全ての電子レンズＰＧ，ＳＧ，ＭＧ（主レンズＭＧは集束レンズ５ＭＧと発散レンズ６ＭＧとからなる）の中心は陰極ＫＧを通るセンターガンの電子銃軸ＡＧ上に配置されているので、センタービームＢＧの主軌道は電子銃軸ＡＧとほぼ一致する。
【００３９】
陰極ＫＲ，ＫＢから発生したサイドビームＢＲ，ＢＢが通過するプリフォーカスレンズＰＲ，ＰＢの中心、及びサブレンズＳＲ，ＳＢの中心も陰極ＫＲ，ＫＢを通るサイドガンの電子銃軸ＡＲ，ＡＢ上に配置されているので、これらの領域ではサイドビームＢＲ，ＢＢの主軌道は電子銃軸ＡＲ，ＡＢとほぼ一致する。次にサイドビームＢＲ，ＢＢは主レンズＭＲ，ＭＢを通過する。主レンズＭＲ，ＭＢを構成する集束レンズ５ＭＲ，５ＭＢの中心は電子銃軸ＡＲ，ＡＢ上に配置されているが、発散レンズ６ＭＲ，６ＭＢの中心は電子銃軸ＡＲ，ＡＢに対してセンターガンの電子銃軸ＡＧとは反対側（外側）に位置している。従って、サイドビームＢＲ，ＢＢの主軌道は、集束レンズ５ＭＲ，５ＭＢの領域では電子銃軸ＡＲ，ＡＢとほぼ一致するが、発散レンズ６ＭＲ，６ＭＢの領域でセンターガンの電子銃軸ＡＧの側に曲げられる。この結果、画面上（図示せず）で、サイドビームＢＲ，ＢＢはセンタービームＢＧとほぼ同じ位置にスポットを形成する。即ち、静コンバーゼンスが実現される。
【００４０】
図５では各陰極から電子銃軸上に沿って放射された電子ビームの軌道、即ち主軌道を示したが、実際の電子ビームはある径を持った電子ビーム束である。従って、サイドビームのうち、電子銃軸上を進行する電子ビームと、電子銃軸から離れて進行する電子ビーム（これを「離軸ビーム」という）とでは、電子レンズから受ける作用が異なる。
【００４１】
通常、電子ビームが画面上でビームスポットを形成する際、電子銃軸上又はこの近傍を進行する電子ビーム（これを「近軸ビーム」という）はほとんど集束されずに高輝度コア部を形成し、離軸ビームは過集束されて低輝度のにじみ部を形成する。このにじみ部が高輝度コア部の径と合致したとき、ビームスポットは最良のフォーカス状態となる。
【００４２】
図６（Ａ），（Ｂ）を用いて本発明の作用を更に詳細に説明する。図６（Ａ）は本発明の一実施形態に係る電子銃において一つのサイドビームＢＲに対する集束作用を示した平面図である。比較のために、図６（Ｂ）に従来の電子銃におけるサイドビームＢＲに対する集束作用を同様に示す。図６（Ｂ）に示した従来の電子銃では、第６電極６０の第５電極５０に対向する側のカップ状電極６１に形成されたサイドビーム通過孔６１Ｒ，６１Ｂの端縁形状が円形である点でのみ本発明と異なる。サイドビーム通過孔６１Ｒ，６１Ｂの水平方向径中心が電子銃軸ＡＲ，ＡＢに対して偏心量ｄ１で外側に偏心している点は本発明と同じである。図６（Ａ）及び図６（Ｂ）において同一の構成要素については同一の符号を付している。図６（Ａ）及び図６（Ｂ）では一方のサイドビームＢＲのみを示しているが、他方のサイドビームＢＢは図６（Ａ）及び図６（Ｂ）に示したサイドビームＢＲとセンタービームの電子銃軸ＡＧに対してほぼ対称な集束作用を受ける。
【００４３】
図６（Ｂ）に示すように、水平面内において、サイドビームＢＲのうちセンタービーム側（以下、「内側」という）の離軸ビームＢＲ１は、第６電極６０近傍の発散レンズ６ＭＲがセンタービームとは反対側に偏心しているために、発散レンズ６ＭＲの中心から遠い位置を通過する。従って、離軸ビームＢＲ１は、発散レンズ６ＭＲから、その球面収差により強い発散作用を受ける。一方、サイドビームＢＲのうちセンタービームとは反対側（以下、「外側」という）の離軸ビームＢＲ４は、相対的に発散レンズ６ＭＲの中心に近い位置を通過するため、発散レンズ６ＭＲから相対的に弱い発散作用を受ける。従って、総合的にみて、主レンズＭＲを通過する際、内側の離軸ビームＢＲ１は相対的に弱い集束力を受け、外側の離軸ビームＢＲ４は相対的に強い集束力を受ける。従って、画面上に形成されるビームスポットＢＲＳは、図６（Ｂ）の右側に示すように、近軸ビームＢＲ２，ＢＲ３による高輝度コア部に対して、離軸ビームＢＲ４に起因する左右非対称のにじみ成分ＢＲＮが水平方向にはみ出したビームスポットとなってしまう。
【００４４】
一方、本発明では、図３（Ｂ）に示すように第６電極６０のサイドガン通過孔６１Ｒ，６１Ｂの端縁形状は円をその中心よりも外側に位置する垂直方向に平行な弦で２分割し、外側部分を取り除いた形状を有しているため、図６（Ａ）に示すように第６電極６０近傍には外側で発散作用が相対的に強い発散レンズ６ＭＲが形成される。従って、外側の離軸ビームＢＲ４は図６（Ｂ）の場合に比べて発散レンズ６ＭＲから強い発散作用を受け、総合的にみて、主レンズＭＲを通過する際、内側の離軸ビームＢＲ１と外側の離軸ビームＢＲ４がそれぞれ受ける集束力の差が低減される。従って、図６（Ａ）の右側に示すように、近軸ビームＢＲ２，ＢＲ３による高輝度コア部に対して左右非対称のにじみ成分ＢＲＮの水平方向のはみ出しがほぼ解消される。従って、解像度の良好なカラー受像管を提供することができる。
【００４５】
このように、静コンバーゼンスを実現するために形成された従来の水平方向に非対称な主レンズＭＲが図６（Ｂ）に示すように外側の離軸ビームＢＲ４に対して付与していた過集束作用が、図６（Ａ）に示すように、水平方向に非対称な開孔形状を有するサイドガン通過孔６１Ｒ，６１Ｂによって形成された本発明の発散レンズ６ＭＲにより打ち消される。この結果、ビームスポットの水平方向のにじみの非対称性を改善することができる。しかも、本発明の発散レンズ６ＭＲによる発散作用は、従来主レンズＭＲによって相対的に過集束され、その結果にじみを生じさせていた外側の離軸ビームＢＲ４に対してのみ作用し、内側の離軸ビームＢＲ１に対してはほとんど作用しない。従って、本発明の静コンバーゼンス特性は従来とほとんど変化しない。
【００４６】
第５電極５０のカップ状電極５４の電子ビーム通過孔５４Ｒ，５４Ｇ，５４Ｂ及び第６電極６０のカップ状電極６１の電子ビーム通過孔６１Ｒ，６１Ｇ，６１Ｂの具体的な寸法例として、対角サイズが２１インチのカラー受像管の場合を図７（Ａ）、図７（Ｂ）を用いて示す。図７（Ｂ）に示すようにサイドビーム通過孔６１Ｒ，６１Ｂの端縁形状は、半径２．２６ｍｍの円６１Ｒ０，６１Ｂ０を、その水平方向の外側端から０．０７ｍｍの位置で垂直方向に延びる弦により２分割し、この弦より外側部分を取り除いた形状を有している。２分割される前の半径２．２６ｍｍの円６１Ｒ０，６１Ｂ０の中心とセンタービーム通過孔６１Ｇの中心との水平方向における距離をＳ６’、サイドビーム通過孔６１Ｒ，６１Ｂの水平方向径中心６１Ｒｃ，６１Ｂｃとセンタービーム通過孔６１Ｇの中心との水平方向における距離をＳ６とする。また、図７（Ａ）に示すように、サイドビーム通過孔５４Ｒ，５４Ｂの中心とセンタービーム通過孔５４Ｇの中心との水平方向における距離をＳ５とする。本例では、第６電極６０のサイドビーム通過孔６１Ｒ，６１Ｂの水平方向径中心６１Ｒｃ，６１Ｂｃの、第５電極５０のサイドビーム通過孔５４Ｒ，５４Ｂの中心に対する偏心量ｄ１（＝Ｓ６−Ｓ５）は０．０４５ｍｍ（Ｓ６’−Ｓ５＝０．０８ｍｍ）である。
【００４７】
以上の実施形態では、第６電極６０の第５電極５０に対向する面に形成されたサイドビーム通過孔の端縁形状が、円の外側部分を直線で切り落とした形状である場合を示したが、本発明はこれに限定されない。サイドガンの主レンズの発散作用が、サイドガンの電子銃軸よりも外側の部分において、内側の部分よりも強くなるような形状であれば、その孔形状は問わない。
【００４８】
一般には、主レンズを形成する集束電極（第５電極５０）の最終加速電極（第６電極６０側）端面（端面５４ａ）及び最終加速電極（第６電極６０）の集束電極（第５電極５０）側端面（端面６１ａ）のうちの少なくとも一方に形成されたサイドビーム通過孔がサイドガンの電子銃軸に対して水平方向に偏心しており、且つ、この偏心したサイドビーム通過孔の中央開孔側の端縁形状と中央開孔とは反対側の端縁形状とが、サイドビーム通過孔の水平方向径中心を中心として水平軸を±１０°回転させた範囲内において非対称であればよい。これを、電子銃軸ＡＲ，ＡＢに対して偏心したサイドビーム通過孔６１Ｒ，６１Ｂを有する上記の実施形態における第６電極６０の第５電極５０側端面６１ａを示した図８を用いて説明する。本発明において、偏心したサイドビーム通過孔６１Ｒ，６１Ｂの「中央開孔側の端縁形状」とは、サイドビーム通過孔６１Ｒ，６１Ｂの水平方向径中心６１Ｒｃ，６１Ｂｃを通る垂直方向軸６１Ｒｙ，６１Ｂｙよりも中央開孔６１Ｇ側の端縁形状（内側端縁形状）６１Ｒｉ，６１Ｂｉを意味し、「中央開孔とは反対側の端縁形状」とは、垂直方向軸６１Ｒｙ，６１Ｂｙよりも中央開孔６１Ｇとは反対側の端縁形状（外側端縁形状）６１Ｒｏ，６１Ｂｏを意味する。本発明では、上記によって定義される内側端縁形状６１Ｒｉ，６１Ｂｉと外側端縁形状６１Ｒｏ，６１Ｂｏとが、サイドビーム通過孔６１Ｒ，６１Ｂの水平方向径中心６１Ｒｃ，６１Ｂｃを中心として水平軸を±１０°回転させた範囲内において非対称であればよい。
【００４９】
これを実現するためには、例えば外側端縁形状６１Ｒｏ，６１Ｂｏが少なくとも２つの異なる関数で表現されるように設定されればよい。例えば上記の実施形態では、外側端縁形状６１Ｒｏ，６１Ｂｏのうち、水平方向径中心６１Ｒｃ，６１Ｂｃを中心として水平軸を±１０°回転させた範囲内の部分は直線により、それ以外の部分は円により、それぞれ定義される。
【００５０】
但し、外側端縁形状６１Ｒｏ，６１Ｂｏは上記の実施形態に限定されず他の形状であったも良い。図９（Ａ）に示すように半径が異なる２つの円を接続した形状でも良いし、図９（Ｂ）に示すように３つの直線と円とを接続した形状でも良い。
【００５１】
また、上記の実施形態では、連続して配置された４つの電極によって電子ビーム集束部を形成するいわゆるＱＰＦ構造を有する電子銃を例に説明したが、本発明はこれに限らず、例えば隣り合う２つの電極によって電子ビーム集束部を形成するいわゆるＢＰＦ構造を有する電子銃など、電子銃の基本構造はどのようなものでも良い。
【００５２】
また、上記の実施形態では主レンズＭＲ，ＭＢを形成する最終加速電極６０のサイドビーム通過孔６１Ｒ，６１Ｂの、水平方向径中心を中心として水平軸を±１０°回転させた範囲内における対向する２つの端縁形状を互いに非対称としたが、このような非対称形状を有する開孔は、主レンズを構成する最終加速電極６０に限定されない。例えば、プリフォーカスレンズＰＲ，ＰＢ及び／又はサブレンズＳＲ，ＳＢを形成する高電圧側の電極のサイドビーム通過孔の開孔形状を上記と同様の非対称形状にしても上記と同様の効果が得られる。但し、上記の実施形態のように、最も大きな集束作用を有する主レンズＭＲ，ＭＢを形成する電極の高電圧側の電極のサイドビーム通過孔の開孔形状を非対称形状とすると、より大きなビームスポットのにじみ抑制効果が得られるので好ましい。
【産業上の利用可能性】
【００５３】
本発明のカラー受像管の利用分野は特に限定はないが、例えばテレビジョン受像機やコンピュータモニタに有用である。
【図面の簡単な説明】
【００５４】
【図１】本発明の一実施形態に係るカラー受像管の断面図。
【図２】（Ａ）は本発明の一実施形態に係るカラー受像管のネック部の垂直方向断面図、（Ｂ）はその水平方向断面図である。
【図３】（Ａ）は本発明の一実施形態に係るカラー受像管において、集束電極（第５電極）の最終加速電極（第６電極）に対向する側の面に形成された開孔を示した正面図、（Ｂ）は本発明の一実施形態に係るカラー受像管において、最終加速電極（第６電極）の集束電極（第５電極）に対向する側の面に形成された開孔を示した正面図。
【図４】本発明の一実施形態に係るカラー受像管において、電子銃の電気的接続を説明するための図。
【図５】本発明の一実施形態に係るカラー受像管における電子銃が形成する電子レンズを光学的に示した模式図。
【図６】（Ａ）は本発明の一実施形態に係るカラー受像管における電子銃においてサイドビームに対する水平面内での集束作用を説明する図、（Ｂ）は従来のカラー受像管における電子銃においてサイドビームに対する水平面内での集束作用を説明する図。
【図７】（Ａ）は本発明のカラー受像管において、集束電極（第５電極）の最終加速電極（第６電極）に対向する側の面に形成された開孔の具体例を示した正面図、（Ｂ）は本発明のカラー受像管において、最終加速電極（第６電極）の集束電極（第５電極）に対向する側の面に形成された開孔の具体例を示した正面図。
【図８】本発明の一実施形態に係るカラー受像管において、最終加速電極（第６電極）の集束電極（第５電極）に対向する側の面を示した正面図。
【図９】（Ａ）及び（Ｂ）は本発明のカラー受像管において、最終加速電極（第６電極）の集束電極（第５電極）に対向する側の面に形成された開孔形状の別の例を示した正面図。
【符号の説明】
【００５５】
１  電子銃
２  パネル
２ａ  蛍光体スクリーン
３  ファンネル
４，５  絶縁支持体
８  偏向ヨーク
１０  第１電極
２０  第２電極
３０  第３電極
４０  第４電極
５０  第５電極（集束電極）
５４  カップ状電極
５４Ｒ，５４Ｂ  サイドビーム通過孔
５４Ｇ  センタービーム通過孔
６０  第６電極（最終加速電極）
６１  カップ状電極
６１Ｒ，６１Ｂ  サイドビーム通過孔
６１Ｇ  センタービーム通過孔
９０  シールドカップ
３００  ネック部
４００  ステムピン
５００  ステム部
ＡＲ，ＡＧ，ＡＢ  電子銃軸
ＢＲ，ＢＧ，ＢＢ  電子ビーム
ＨＲ，ＨＧ，ＨＢ  ヒーター
ＫＲ，ＫＧ，ＫＢ  陰極
ＰＲ，ＰＧ，ＰＢ  プリフォーカスレンズ
ＳＲ，ＳＧ，ＳＢ  サブレンズ
ＭＲ，ＭＧ，ＭＢ  主レンズ
【図１】
2005302376.tif 000003
【図２】
2005302376.tif 000004
【図３】
2005302376.tif 000005
【図４】
2005302376.tif 000006
【図５】
2005302376.tif 000007
【図６】
2005302376.tif 000008
【図７】
2005302376.tif 000009
【図８】
2005302376.tif 000010
【図９】
2005302376.tif 000011